(57)【要約】【課題】  体力の少ない人が机やベッドで楽な姿勢をとるとパソコンを扱うことができない。【解決手段】  テーブルに傾斜できるパソコン台を配置し、パソコン台にパソコンが落下しないよう固定し、操作者がパソコン台をテーブルの左右にスライド可能にして、テーブルにキャスターと高さ調整機能を設ければ、起きた姿勢から寝た姿勢までパソコン操作ができる。また、テーブルも容易にかたづけることができる。従って体力が少なくてもパソコンが扱える。【選択図】図９
2011224072.tif 000002
【特許請求の範囲】
【請求項１】
パソコンを移動可能な状態でテーブル天板に取り付けてあって、前記パソコンを乗せるパソコン受け台と、前記パソコンを前記パソコン受台に固定する固定材と、前記テーブル天板の案内部分に嵌合しスライドする支持台と、前記パソコン受け台と前記支持台を回動可能に連結した回動連結材と、前記回動連結材の回動角度を一定に保持する回動角度調整手段とを備えたパソコンの台。
【請求項２】
前記テーブル天板を水平移動可能及び高さ調節可能な部材を用いたことを特徴とする請求項１に記載のパソコンの台。
【請求項３】
前記パソコン受台が前記回動連結材の回動軸の中心線に対し直角方向にスライド可能にしたことを特徴とする請求項１又は２に記載のパソコンの台。
【請求項４】
前記回動連結材の前記回動軸を前記テーブル天板の手前外側に配置し、前記パソコン受け台の傾斜角度を90度以上傾斜可能にしたことを特徴とする請求項３に記載のパソコンの台。
【請求項５】
前記固定材を、前記パソコン受け台に前記回動軸の中心線と並行にスライド可能で複数設けた滑落防止材と、回転離脱を防ぐ前記回動軸の中心線に対し垂直方向に配置変更可能な浮き上がり防止材と、で構成することを特徴とする請求項１から４のいずれかに記載のパソコンの台。
【発明の詳細な説明】
【技術分野】
【０００１】
本発明は、体調の良くない人が楽な姿勢でパソコンを使うため、パソコンを使いやすい位置に配置しかたづけることができるパソコンの台に関するものである。
【背景技術】
【０００２】
体の調子が良くない人がパソコンを操作しようとすると、机に置いたパソコンの前の椅子に座るか、ベッドに座りベッドサイドテーブルにパソコンを置いて操作することになる。
【０００３】
他にも、布団に寝た人が小型机を布団の上に置き、足を伸ばしながら膝を机の下にしてパソコン操作のできるパソコン机が販売されている。（非特許文献１参照）
【０００４】
また固定ベッドや畳の布団で水平に寝た状態で使用できるパソコン台とキーボードもある。（特許文献１参照）
【０００５】
【非特許文献１】「サンコーレアモノショップ  カタログ」  サンコー株式会社
【０００６】
【特許文献１】特開２００８−１８１４８０
【発明の開示】
【発明が解決しようとする課題】
【０００７】
近年、死の直前まで自分のがんの進行状況をインターネットに掲示された科学者がおられ話題になった。他にも病状は良い状態ではないが、パソコンを使いたいと思っている人は多々いる。しかしパソコンは主に机で椅子を使用して使うように作ってあり、病で床に就くと、食事用ベッドサイドテーブルにノートパソコンを置いて操作することになる。そのためにはベッドで体を起こさねばならない。また、テーブルで食事をするにはその都度パソコンをかたづけなければならず、体力の少ない人にとっては大きな障害となる。
【０００８】
もっと楽な姿勢で操作できる方法として、足をのばし膝の上に机を配置してパソコン操作できる小型パソコン机（非特許文献１参照）があるが、布団の上に置くため画面が揺れるし、体の上と左右に平板と脚があるため動きが拘束され窮屈であるし、起きるたびに机を動かさねばならぬから体力がいる。
【０００９】
他の楽な入力方法の水平に寝た状態で使用できるパソコン台（特許文献１）は、寝返りはできるが体を起こして操作することができない。パソコンを操作するとき体を寝かせてしまうと楽そうに見えるが少し窮屈である。また、リクライニングベッドに取り付けると装置が大掛かりとなりコストがかかる。
【００１０】
パソコンを使う一番楽な姿勢は、体を楽な位置まで後ろに倒し頭を立てた状態か軽く頭を枕に付けた状態である。また、楽な姿勢は操作時間の経過により変化するし、操作時の緊張感によっても変化する。操作時の楽な姿勢は１個人であっても一定ではない。そして、現状ではこのような多様な姿勢で操作できる位置にはパソコンを配置できない。また、机上やテーブルに置いたパソコンをかたづけるには体力と動かす姿勢を必要とする。楽な姿勢で扱えるパソコン台の開発が待たれている。
【００１１】
本発明はこのような問題を解決しようとするもので、体調の良くない人でも楽な姿勢で扱いやすい位置にパソコンの配置し、かたづけができることを目的とするものである。
【課題を解決するための手段】
【００１２】
パソコンを移動可能な状態でテーブル天板に取り付けてあって、パソコンを乗せるパソコン受け台と、前記パソコンを前記パソコン受台に固定する固定材と、テーブル天板に嵌合しスライドする支持台と、前記パソコン受け台と前記支持台を回動可能に連結した回動連結材と、前記回動連結材の回動角度を一定に保持する回動角度調整手段を備えたパソコンの台を提供することにより上記課題を解決したものである。
また、前記テーブル天板を水平移動可能及び高さ調節可能にしたことにより上記課題を解決したものである。
また、前記パソコン受台と前記回動連結材の回動軸の中心線に対し直角方向にスライド可能にしたことにより上記課題を解決したものである。
また、前記回動連結材の前記回動軸を前記テーブル天板の手前外側に配置し、前記パソコン受け台の傾斜角度を90度以上傾斜可能にしたことにより上記課題を解決したものである。
更に、前記固定材を、前記パソコン受け台に前記回動軸の中心線と並行にスライド可能で複数設けた滑落防止材と、回転離脱を防ぐ前記回動軸の中心線に対し垂直方向に配置変更可能な浮き上がり防止材と、で構成したものである。
【発明の効果】
【００１３】
本発明によれば、パソコンをパソコン受台に固定材で固定し、パソコン受け台を傾斜することにより、操作しているパソコンを見やすく操作しやすい角度に傾斜させたまま、回動角度調整手段で傾斜角度を保持することができる。また、パソコンやパソコン受け台と共に連結されている支持台をテーブル天板の案内部分である側面に沿ってスライドさせることにより、テーブル上の筆記場所や食卓スペースを少しの力で確保できる。
【００１４】
以上のことは、操作しやすい角度のパソコンをテーブルまたは机の天板に配置するとパソコンとパソコン台をテーブルの最も使いやすい位置に置くことになる。しかも楽な姿勢の操作しやすい角度は大きな角度となり、簡単な台では対応できず丈夫な物となる。
そしてテーブルや机の使いやすい所はパソコンだけのために使うことは少ない。ほとんどの場合キーボードやノートパソコンをかたづけて筆記や読書や作業台や食卓として多目的に使う。そのためにパソコンを配置しかたづける必要がある。このように、テーブル上のパソコンを大きく傾斜するに付随して、丈夫で重くてかさばる台が付属したパソコンをかたづけなければならない作業が必ず発生する。この煩わしい作業がパソコン台をスライドすることにより力が少なくても容易に解消できる。
【００１５】
そして、テーブル天板を水平移動可能及び高さ調節可能にして、テーブルに支持台を介して設定したパソコンをテーブルごと動かせば操作しやすい位置に配置できる。また、現在のテーブル付き水平移動キャスターは軽く動くし、テーブルの高さ調節用の昇降装置はバネや重りを利用して少ない力で昇降できるようになっている。この動かせる高さ調節可能テーブルを用いれば、あまり力を必要としないで任意の位置に任意の角度のパソコンを配置することができる。
【００１６】
また、パソコン受け台と回動連結材の接続（連結）が回動軸の中心線に対し直角方向にスライド可能であるようにすると、パソコンとパソコン受け台の重心を回動軸に近づけることにより、パソコンの回動に必要な力を少なくすることができるし、パソコン不使用時にテーブルの外に出て邪魔になった部分をテーブル内に収めることもできる。
【００１７】
また、回動連結材の回動軸をテーブルの外側に配置すると、パソコン受けとパソコンを大きく傾けてもテーブル天板にあたることはない。パソコンを９０度以上傾けることも可能であるし下から見上げるようにも配置できる。体を寝かし水平に近づけると頭を動かすには大きな力が必要となり視界は限られる。視界内にキーボード部分があれば操作の疲れは少なくなくなる。また、視界内にキーボード部分を入れようとするとパソコン傾斜は９０度以上必要となる。
【００１８】
以上によれば、操作者はパソコン操作のために姿勢を拘束されることはない。自由な姿勢で操作できるし、楽な姿勢をとった操作者の起き上った姿勢から水平に寝た姿勢まで可能である。そして、場所と高さと傾斜角度の配置や設定は寝た姿勢でもできる。パソコン操作者の楽な姿勢は時間とともに変化するし、後ろに体を預けると同じ姿勢が長くなれば苦痛となる。したがって、色々な姿勢でのパソコン操作が簡単に可能になれば、体の姿勢変更も容易となるから楽な操作が長時間可能となり疲れは少なくなる。
【００１９】
以上のように、本発明は体調の良くない人や体力の少ない人でも自分の力でパソコンを用意し操作しかたづけることができる効果がある。
そのほかにも、近年インターネットによりパソコンで扱うデータは新聞雑誌やゲーム映像や会話を含み多種多様となった。机上で緊張を強いられる内容は相対的に減少し、気楽に操作したい時間は急増している。気楽な姿勢は机ではなくソファーやベッドの方がよい。本発明はこの操作環境の多様化と、その都度変動する楽な姿勢の要求に十分対応できる。
【００２０】
また、パソコン台にパソコンを固定する手段として、パソコン受け台に滑落防止材と浮き上がり防止材を設ければ、パソコン受け台に固定できるパソコンが、特殊な固定材を用いていない一般に販売されている各種のノートパソコンであっても、簡単に固定できる。
【図面の簡単な説明】
【００２１】
【図１】本発明にかかるパソコン台とテーブルとパソコンの位置を示す透視図
【図２】パソコンを下から見上げた透視図
【図３】パソコン受け台を下から見上げた透視図
【図４】テーブル天板と支持台の透視図
【図５】本発明にかかるパソコン台の構成を示す側面図
【図６】パソコン台の構成と動作を示す拡大側面図
【図７】パソコンとパソコン台とテーブルとその脚の正面図
【図８】本発明にかかるパソコンとパソコン台とテーブルと操作者の全体側面図
【図９】本発明にかかるパソコンとパソコン台とテーブルと操作者の全体側面図
【図１０】パソコンとパソコン受け台の移動を示す側面図
【図１１】固定手段の別実施例の側面図
【図１２】図１１実施例の正面図
【図１３】図１１実施例の平面図
【発明を実施するための形態】
【００２２】
本発明のパソコン台は、図１に示されるように、ノートパソコンの画面１とパソコン本体２をテーブル天板３に配置して使用される。
その構成を図２図３図４で示す。先ず図２のように、ノートパソコンの本体２の底面に固定材４を設けてある。
この固定材４は次の図３のパソコン受け台５に挿着可能となっている。
そして、パソコン受け台５に回動連結材である回動軸受け６が設けてある。その回動軸受け６に回動軸１１（回動連結材）を締め付けて回動を停止するための回動角度調整手段である締着部７及び締着クランプレバー８が設けてある。
また図４のように、テーブル天板３の案内部分９にスライド可能に嵌合し案内される支持台１０が配置され、その支持台１０に回動連結材である回動軸１１が設けてある。
【００２３】
そして図５図６のように、テーブル天板３に嵌合した支持台１０の回動軸１１と、パソコン受け台５の回動軸受け６とが回動自在に蝶着してあり、パソコン受け台５を固定手段４でパソコン本体２に持着してある。これによりテーブル天板３とパソコン本体２は連結され一体となっている。
【００２４】
また図７図８図９のように、テーブル３の支柱１５を高さ調節可能にする高さ調節部分１４を設け、テーブルの脚１７に水平移動可能キャスター１６を設けてある。そして、操作者１８はベッドのリクライニングマット１９で楽な姿勢を確保している。
【００２５】
以上の構成の動作を説明する。
図６のように、パソコン本体２は回動軸１１を中心に回動し、水平を保つテーブル天板３に配置した状態から任意な角度をとることができるし、回動角度調節手段である締着クランプレバー８によりパソコン本体２を任意な角度のまま保持することもできる。また図６図７のように、支持台１０をテーブルの淵に沿わすことにより簡単にスライドできるから、連結しているパソコンもテーブルの隅に動かしてテーブル上の空間１３を容易に作ることができる。
このときスライド案内部分９と支持台１０が不安定であれば溝やレール１２を加えることにより安定する。
【００２６】
またキャスター１６と高さ調節部分１４が設けてあるテーブル天板３は、高さも位置も自由に配置できるようになっている。テーブルを動かすのに多くの力はいらない。寝た姿勢でもパソコンの配置はできる。
【００２７】
また、図１０のように、パソコン受台５が回動軸１１の中心線に対し直角方向にスライド可能になっている。このことは、パソコンを傾けるに際し、傾ける部分の重心を回動軸１１に近づければ力を少なくしても容易に回動できる。したがって、寝た姿勢でもパソコンの傾斜配置はできる。そして、テーブルのパソコンをかたづける時、張り出したパソコンを動かしてテーブル上に収納することもできる。
【００２８】
また、図６図９図１０のように、回動軸１１をテーブル天板３の外側に配置してあるから、パソコンを９０度以上傾けた場合でも、回動軸から張り出したパソコン本体２がテーブルに接することはない。また、体を水平に倒すと、頭は重くて上下には振れず左右に振るだけになり、その拘束された視界でパソコン画面と共にキーボードも見ようとするとパソコン本体２のキーボード面は垂直より下を向いた方が見やすくなる。このように、体を水平にしても操作可能な下向き角度であっても、回動軸１１をテーブル天板３の外側に配置してあるから、操作しやすいパソコン角度をとることができる。
【００２９】
ゆえに、リクライニングマット１９に寝ている操作者１８は、自由な姿勢を取りながら自由な位置に任意な角度のパソコン２を配置しながら操作できる。また姿勢をたびたび変えても同じであり、テーブルを食卓や筆記台とすることも容易となっている。
【００３０】
以上の様に、楽な姿勢で楽なところに操作しやすい傾きのパソコンを、力を使わずに配置して、そして簡単にかたづけられる。このことは、体力の少ない人や体調のすぐれない人でもパソコン操作できる環境となり、他人の手を借りずに済むから操作してみようとする人も増える。
【００３１】
上記実施例のパソコン本体２とパソコン受け台５の固定手段は普通のノートパソコンでは固定しにくいから別の実施例を、図１１図１２図１３を用いて説明する。
図１１に示されるように、パソコン受け台５にパソコン本体２を乗せてある。パソコン受け台５を傾けたとき、下になる位置に滑落防止材２３をパソコン受け台５に設けてあり、上になる位置に浮き上がり防止材２２を設けてある。
そして、１２図に示されるように、滑落防止材２３は複数に分割してあり、パソコン受け台５の淵をスライド可能に嵌合配置してあって、パソコン本体２がパソコン受け台５の外へ滑り出るのを防いでいる。また浮き上がり防止材２２はパソコン本体２とパソコン受け台５を結束してあり、パソコン受け台５からパソコン本体２が浮き上がるのを防いでいる。
１３図に示す浮き上がり防止材２２を通す穴２５は浮き上がり防止材２２の位置を別の位置にずらせるよう複数設けてある。
【００３２】
以上の固定手段の動作について説明する。
パソコン受け台５とパソコン本体２を傾けてゆくとパソコン本体２が滑り落ちるから滑落防止材２３で受け止める。もっと傾けるとパソコン本体２が回転を始めパソコン受け台６から浮き上がるから、浮き上がり防止材２２で浮き上がりを防ぐ。このようになっているので、パソコン受け台５を垂直に立てても落下することはない。
【００３３】
また浮き上がり防止材２２はマジックバンドであり、パソコン上部に重ね接合部２４があるから、マジックバンドを外せばパソコン本体２をパソコン受け台５から容易に脱着できるし、パソコン本体２の大きさが変わっても、また形状が変わりタッチ画面入力形式の一体型パソコンでもこの固定手段は機能する。
【００３４】
また、小型パソコンの特徴としてパソコン本体２の側面はコードやメモリーそして操作スイッチなど入出力装置が付いている。これらはパソコン機種が異なれば場所も違う。側面の各種器具を避けるため、滑落防止材２３はスライドして任意の位置に配置できるようにしてある。また、浮き上がり防止材２２は、パソコン受け台５に開いている浮き上がり防止材を通す開口２５を変えて、位置をずらすことによりパソコン本体２の側面の使用装置を避けて配置することができるようにしてある。
【００３５】
以上の様になっているから、固定手段である滑落防止材２３と浮き上がり防止材２２は任意に動かせて、多様なノートパソコンに対応できるパソコン台ができる。
【符号の説明】
【００３６】
１      パソコンの画面
２      パソコンの本体
３      テーブル天板
４      固定材
５      パソコン受け台
６      回動軸受け（回動連結材）
７      締着部（回動角度調整手段）
８      クランプレバー（回動角度調整手段）
９      案内部分
１０      支持台
１１      回動軸（回動連結材）
１２      レール
１３      テーブル上の空間
１４      高さ調節部分
１５      テーブル支柱
１６      キャスター
１７      テーブルの脚
１８      操作者
１９      リクライニングマット
２０      平行移動方向
２１      平行移動したパソコン
２２      浮き上がり防止材（固定材）
２３      滑落防止材（固定材）
２４      マジックバンド接合部（固定材）
２５      浮き上がり防止材を通す開口
【図１】
2011224072.tif 000003
【図２】
2011224072.tif 000004
【図３】
2011224072.tif 000005
【図４】
2011224072.tif 000006
【図５】
2011224072.tif 000007
【図６】
2011224072.tif 000008
【図７】
2011224072.tif 000009
【図８】
2011224072.tif 000010
【図９】
2011224072.tif 000011
【図１０】
2011224072.tif 000012
【図１１】
2011224072.tif 000013
【図１２】
2011224072.tif 000014
【図１３】
2011224072.tif 000015